(57)【要約】【課題】複数の凹状エンボスを施した吸収性物品において、身体の曲線に違和感なくフィットさせるとともに、体液の漏れを低減する。【解決手段】吸収体４の排血口に対応する領域Ｎより前側部分Ｆに、平面視で略幅方向に沿い前側に膨出した複数条の幅方向仮想曲線ＷＦと、ナプキン１の長手方向中心線ＣＬを境にそれぞれの側に、略長手方向に沿い外側に膨出した複数条の長手方向仮想曲線ＬＦとを描くとともに、吸収体４の排血口に対応する領域Ｎより後側部分Ｂにおいて、略幅方向に沿い前側に膨出した複数条の幅方向仮想曲線ＷＢと、ナプキン１の長手方向中心線ＣＬを境にそれぞれの側に、略長手方向に沿い内側に膨出した複数条の長手方向仮想曲線ＬＢとを描き、前記前側部分Ｆと後側部分Ｂのそれぞれにおいて、前記幅方向仮想曲線ＷＦ、ＷＢ及び長手方向仮想曲線ＬＦ、ＬＢの交点に対応する位置に凹状エンボス７、７…を施す。【選択図】図２
2008073449.tif 000002
【特許請求の範囲】
【請求項１】
透液性表面シートと裏面シートとの間に吸収体が介在された吸収性物品において、
前記吸収体の排血口に対応する領域より前側部分において、平面視で略幅方向に沿い前側に膨出した複数条の幅方向仮想曲線と、吸収性物品の長手方向中心線を境にそれぞれの側に、略長手方向に沿い外側に膨出した複数条の長手方向仮想曲線とを描き、少なくとも前記吸収体に対して前記幅方向仮想曲線と長手方向仮想曲線との交点に対応する位置に凹状エンボスを施すとともに、
前記吸収体の排血口に対応する領域より後側部分において、平面視で略幅方向に沿い前側に膨出した複数条の幅方向仮想曲線と、吸収性物品の長手方向中心線を境にそれぞれの側に、略長手方向に沿い内側に膨出した複数条の長手方向仮想曲線とを描き、少なくとも前記吸収体に対して前記幅方向仮想曲線と長手方向仮想曲線との交点に対応する位置に凹状エンボスを施したことを特徴とする吸収性物品。
【請求項２】
透液性表面シートと裏面シートとの間に吸収体が介在された吸収性物品において、
前記吸収体の排血口に対応する領域より前側部分において、平面視で略幅方向に沿い前側に膨出した複数条の幅方向仮想曲線と、吸収性物品の長手方向中心線を境にそれぞれの側に、略長手方向に沿い外側に膨出した複数条の長手方向仮想曲線とを描き、少なくとも前記吸収体に対して前記幅方向仮想曲線と長手方向仮想曲線との交点に対応する位置に凹状エンボスを施すとともに、
前記吸収体の排血口に対応する領域より後側部分において、平面視で略幅方向に沿い後側に膨出した複数条の幅方向仮想曲線と、吸収性物品の長手方向中心線を境にそれぞれの側に、略長手方向に沿い外側に膨出した複数条の長手方向仮想曲線とを描き、少なくとも前記吸収体に対して前記幅方向仮想曲線と長手方向仮想曲線との交点に対応する位置に凹状エンボスを施したことを特徴とする吸収性物品。
【請求項３】
前記吸収体の排血口に対応する中間領域において、平面視で略幅方向に沿い前側に膨出した複数条の幅方向仮想曲線と、吸収性物品の長手方向中心線を境にそれぞれの側に、略長手方向に沿い内側に膨出した複数条の長手方向仮想曲線とを描き、少なくとも前記吸収体に対して前記幅方向仮想曲線と長手方向仮想曲線との交点に対応する位置に凹状エンボスを施した請求項１、２いずれかに記載の吸収性物品。
【請求項４】
前記吸収体の排血口に対応する領域に吸収体厚みを厚くした中高部を備えるとともに、この中高部の両側には前記吸収体の排血口に対応する領域より前側部分及び後側部分に形成された凹状エンボスよりも小ピッチで凹状エンボスを施している請求項１，２いずれかに記載の吸収性物品。
【請求項５】
前記凹状エンボスの底面の面積は４mm２以下の寸法で形成されている請求項１〜４いずれかに記載の吸収性物品。
【請求項６】
前記凹状エンボスは、吸収体単独の状態、クレープ紙又は不織布に囲繞された状態、セカンドシートを重ねた状態又は前記透液性表面シートを重ねた状態のいずれかの状態で付与されている請求項１〜５いずれかに記載の吸収性物品。
【発明の詳細な説明】
【技術分野】
【０００１】
本発明は、主には生理用ナプキン、おりものシート、失禁パッド、医療用パッド、トイレタリー等に使用される吸収性物品に係り、身体の曲線にフィットし易いしなやかさを具備した吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に粉砕パルプ等の紙綿（高吸水性樹脂混入）からなる吸収体を介在したものが知られている。
【０００３】
近年は、比較的嵩のある吸収性物品の場合には、持ち運びに不便である、または収納性が悪いなどの問題があるとともに、物流の効率化や省資源化などの要請から、吸収体の厚みを薄くした薄型吸収性物品が好まれる傾向にある。吸収性物品の薄型化に際しては、薄型化やコンパクト化が成されても吸水量を落とすことは出来ないため、必然的に吸収体に対して複数のエンボス加工を施したり、過酷なプレス加工を施したりすることにより薄型化を図ることが多く行われている。
【０００４】
ところが、吸収体の薄型化を図ることにより、身体の曲線にフィットするしなやかさ（柔軟性）が損なわれる問題が生じる。このため、例えば下記特許文献１では、吸収体に複数施される円形状の凹部エンボスについて、格子網パターンなど一定の配列ピッチで並んだエンボス凹部の列を横に並べる場合、列上でのエンボス凹部の配列位相が隣接する列どうしでずれた状態で形成する対策が講じられている(段落[0009]参照)。
【特許文献１】特開２００３−３３３９７号公報
【発明の開示】
【発明が解決しようとする課題】
【０００５】
しかしながら、上記特許文献１では、前記凹部エンボスが、隣接する横方向（幅方向）には格子網パターンなど直線成分を持たないように配置されているものの、縦方向（長手方向）には直線的に配置されるようになっているため、曲線的に沿うために必要な捻れ方向のしなやかさが無くなり、身体に違和感なくフィットさせることが困難であった。また、身体の曲線にフィットできないことにより、体液が身体を伝って漏れるおそれがあった。
【０００６】
そこで、本発明の主たる課題は、複数の凹状エンボスを施すようにした吸収性物品において、身体の曲線に違和感なくフィットするとともに、体液の漏れを低減できる吸収性物品を提供することにある。
【課題を解決するための手段】
【０００７】
前記課題を解決するために請求項１に係る本発明として、透液性表面シートと裏面シートとの間に吸収体が介在された吸収性物品において、
前記吸収体の排血口に対応する領域より前側部分において、平面視で略幅方向に沿い前側に膨出した複数条の幅方向仮想曲線と、吸収性物品の長手方向中心線を境にそれぞれの側に、略長手方向に沿い外側に膨出した複数条の長手方向仮想曲線とを描き、少なくとも前記吸収体に対して前記幅方向仮想曲線と長手方向仮想曲線との交点に対応する位置に凹状エンボスを施すとともに、
前記吸収体の排血口に対応する領域より後側部分において、平面視で略幅方向に沿い前側に膨出した複数条の幅方向仮想曲線と、吸収性物品の長手方向中心線を境にそれぞれの側に、略長手方向に沿い内側に膨出した複数条の長手方向仮想曲線とを描き、少なくとも前記吸収体に対して前記幅方向仮想曲線と長手方向仮想曲線との交点に対応する位置に凹状エンボスを施したことを特徴とする吸収性物品が提供される。
【０００８】
上記請求項１記載の本発明は、排血口対応部位よりも前側部分において、略幅方向に沿い前側に膨出した複数条の幅方向仮想曲線と、吸収性物品の長手方向中心線を境にそれぞれの側に、略長手方向に沿い外側に膨出した複数条の長手方向仮想曲線とを描き、その交点に凹状エンボスを施すことにより、人体の下腹部に対応した凸の曲線形状にフィットするしなやかさを具備し、排血口対応部位よりも後側部分において、略幅方向に沿い前側に膨出した複数条の幅方向仮想曲線と、吸収性物品の長手方向中心線を境にそれぞれの側に、略長手方向に沿い内側に膨出した複数条の長手方向仮想曲線とを描き、その交点に凹状エンボスを施すことにより、臀部の窪みに対応した凹の曲線形状にフィットするしなやかさを具備するようになっている。
【０００９】
このような配列で凹状エンボスを施すことにより、吸収性物品が薄型化できることに加えて、この凹状エンボスによって吸収体が身体の曲線にフィットする柔らかさを具備することになり、装着時の違和感が無くなるとともに、体液の伝い漏れが低減できるようになる。
【００１０】
請求項２に係る本発明として、透液性表面シートと裏面シートとの間に吸収体が介在された吸収性物品において、
前記吸収体の排血口に対応する領域より前側部分において、平面視で略幅方向に沿い前側に膨出した複数条の幅方向仮想曲線と、吸収性物品の長手方向中心線を境にそれぞれの側に、略長手方向に沿い外側に膨出した複数条の長手方向仮想曲線とを描き、少なくとも前記吸収体に対して前記幅方向仮想曲線と長手方向仮想曲線との交点に対応する位置に凹状エンボスを施すとともに、
前記吸収体の排血口に対応する領域より後側部分において、平面視で略幅方向に沿い後側に膨出した複数条の幅方向仮想曲線と、吸収性物品の長手方向中心線を境にそれぞれの側に、略長手方向に沿い外側に膨出した複数条の長手方向仮想曲線とを描き、少なくとも前記吸収体に対して前記幅方向仮想曲線と長手方向仮想曲線との交点に対応する位置に凹状エンボスを施したことを特徴とする吸収性物品が提供される。
【００１１】
上記請求項２記載の本発明は、吸収性物品の後側部分が臀部の尾てい骨近傍以上の長さで形成されている場合の形態を示したものである。この場合、後側部分は、臀部の窪みの凹曲線に対応させるよりも、形状にフィットさせるよりも、臀部の凸曲線に対応させた方が望ましい態様となる。そこで、排血口に対応する領域より前側部分については、請求項１に係る発明と同様にし、排血口に対応する領域より後側部分において、平面視で略幅方向に沿い後側に膨出した複数条の幅方向仮想曲線と、吸収性物品の長手方向中心線を境にそれぞれの側に、略長手方向に沿い外側に膨出した複数条の長手方向仮想曲線とを描き、少なくとも前記吸収体に対して前記幅方向仮想曲線と長手方向仮想曲線との交点に対応する位置に凹状エンボスを施すようにすることにより、臀部全体の凸曲線形状にフィットするしなやかさを有するようになる。
【００１２】
請求項３に係る本発明として、前記吸収体の排血口に対応する中間領域において、平面視で略幅方向に沿い前側に膨出した複数条の幅方向仮想曲線と、吸収性物品の長手方向中心線を境にそれぞれの側に、略長手方向に沿い内側に膨出した複数条の長手方向仮想曲線とを描き、少なくとも前記吸収体に対して前記幅方向仮想曲線と長手方向仮想曲線との交点に対応する位置に凹状エンボスを施した請求項１、２いずれかに記載の吸収性物品が提供される。
【００１３】
上記請求項３記載の本発明は、排血口に対応する領域に凹状エンボスを掛ける場合は、局部の窪みに対応した凹曲線形状にフィットするしなやかさを有するようにする態様で凹状エンボスを付与するのが望ましい。
【００１４】
請求項４に係る本発明として、前記吸収体の排血口に対応する領域に吸収体厚みを厚くした中高部を備える請求項１，２いずれかに記載の吸収性物品が提供される。吸収体の排血口に対応する領域に吸収体厚を厚く形成する場合は、吸収体の排血口に対応する中間領域に凹状エンボスを設ける必要がないため、上記請求項１、２いずれかに記載の発明に好適に対応した態様となる。
【００１５】
請求項５に係る本発明として、前記凹状エンボスの底面の面積は４mm２以下の寸法で形成されている請求項１〜４いずれかに記載の吸収性物品が提供される。効果的に凹状エンボス付与を行うには、前記凹状エンボスの寸法は、底面の面積が４mm２以下の寸法で形成されているのが望ましい。
【００１６】
請求項６に係る本発明として、前記凹状エンボスは、吸収体単独の状態、クレープ紙又は不織布に囲繞された状態、セカンドシートを重ねた状態又は前記透液性表面シートを重ねた状態のいずれかの状態で付与されている請求項１〜５いずれかに記載の吸収性物品が提供される。
【００１７】
上記請求項６記載の発明では、吸収体に対する凹状エンボス加工の付与態様を示したものである。前記凹状エンボスは、少なくとも吸収体に付与されていればよく、具体的には吸収体単独の状態、クレープ紙又は不織布に囲繞された状態、セカンドシートを重ねた状態又は前記透液性表面シートを重ねた状態のいずれかの態様でも付与することができる。
【発明の効果】
【００１８】
以上詳説のとおり本発明によれば、複数の凹状エンボスを施すようにした吸収性物品において、身体の曲線に違和感なくフィットするとともに、体液の漏れを低減することが可能となる。
【発明を実施するための最良の形態】
【００１９】
〔第１形態例〕
以下、第１形態例に係る本発明の実施の形態について図面を参照しながら詳述する。図１は本発明に係る薄型生理用ナプキン１の一部破断斜視図である。
生理用ナプキン１は、主にはパンティライナー、生理用ナプキン、おりものシート、失禁パッドなどの用途に供されるもので、例えば図１に示されるように、不透液性裏面シート２（以下、単に裏面シートという。）と、透液性表面シート３（以下、単に表面シートという。）との間に、吸収体４または同図に示されるように、クレープ紙５によって囲繞された吸収体４が介在した構造となっている。前記吸収体４の周囲においては、前記不透液性裏面シート２と表面シート３とがホットメルト接着剤等の接着手段によって接合されている。なお、前記表面シート３と吸収体４との間に親水性不織布からなるセカンドシート（図示せず）を配置しても良い。
【００２０】
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２１】
前記表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００２２】
前記不透液性裏面シート２と表面シート３との間に介在される吸収体４は、綿状パルプからなるものが好ましい。このとき、綿状パルプは、後述する凹状エンボスを施すことを考慮して、１３０〜２００g/m2の目付とすることが好ましい。また、このパルプ中に高吸水性樹脂を混入したもの、高吸水性樹脂を混入しないもの或いはパルプ中に化学繊維を混入させるとともに、高吸水性樹脂を混入したもの等を種々のものを使用することができる。前記吸収体４は、図示のように、形状保持、および経血等を速やかに拡散させるとともに、一旦吸収した経血等の逆戻りを防止するためにクレープ紙５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２３】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００２４】
前記吸収体４の使用面側には、幅方向中央部に、使用面側に高い吸収体の中高部６が形成されるようにしても良い。この中高部６は、排血口と密着して体液の吸収を図るためのものであり、その形状は任意である。
【００２５】
本発明では、特に、図２に示されるように、吸収体４の前記中高部６より前側部分Ｆにおいて、平面視で略幅方向に沿い前側に膨出した複数条の幅方向仮想曲線ＷＦと、ナプキン１の長手方向中心線ＣＬを境にそれぞれの側に、略長手方向に沿い外側に膨出した複数条の長手方向仮想曲線ＬＦとを描き、少なくとも前記吸収体４に対して前記幅方向仮想曲線ＷＦと長手方向仮想曲線ＬＦとの交点に対応する位置に凹状エンボス７，７…を施すようにする。
【００２６】
また、前記吸収体４の前記中高部６より後側部分Ｂにおいて、平面視で略幅方向に沿い前側に膨出した複数条の幅方向仮想曲線ＷＢと、ナプキン１の長手方向中心線ＣＬを境にそれぞれの側に、略長手方向に沿い内側に膨出した複数条の長手方向仮想曲線ＬＢとを描き、少なくとも前記吸収体４に対して前記幅方向仮想曲線ＷＢと長手方向仮想曲線ＬＢとの交点に対応する位置に凹状エンボス７，７…を施すようにする。
【００２７】
前記各仮想曲線ＷＦ、ＬＦ、ＷＢ、ＬＢは、ナプキン１を装着した際に、人体の身体の曲線にフィットするように、ナプキン１に捻れ方向のしなやかさを与えるパターンとなっている。すなわち、前記前側部分Ｆでは、略幅方向に沿い前側に膨出した複数条の幅方向仮想曲線ＷＦと、ナプキン１の長手方向中心線ＣＬを境にそれぞれの側に、略長手方向に沿い外側に膨出した複数条の長手方向仮想曲線ＬＦとを描き、その交点に凹状エンボス７、７…を施すことにより、人体の下腹部の凸曲線形状にフィットするように、長手方向中心線ＣＬ上で外面側に膨出変形し易いしなやかさを与えるようになっている。同様に、前記後側部分Ｂでは、略幅方向に沿い前側に膨出した複数条の幅方向仮想曲線ＷＢと、ナプキン１の長手方向中心線ＣＬを境にそれぞれの側に、略長手方向に沿い内側に膨出した複数条の長手方向仮想曲線ＬＢとを描き、その交点に凹状エンボス７、７…を施すことにより、臀部の窪みの凹曲線形状にフィットするように、長手方向中心線ＣＬ上で内面側に膨出変形し易いしなやかさを与えるようになっている。
【００２８】
身体の曲線にフィットし易いしなやかさが付与されるメカニズムは、前記各仮想曲線ＷＦ、ＬＦ、ＷＢ、ＬＢに沿った線に沿って周囲の吸収体部分よりも可撓性に富むラインが形成されるためである。
【００２９】
なお、この凹状エンボス７は、その底面の面積が４mm２以下の寸法で形成されることが好ましい。底面面積が４mm２を超える場合は、エンボスを施した部分が硬くなり、ナプキン１のしなやかさが損なわれるとともに、装着時に違和感を感じ易くなる。なお、底面の形状は円形、正方形、菱形、楕円形状等任意の形状とすることができる。
【００３０】
このように、凹状エンボス７、７…を施すことにより、ナプキン１が薄型化でき、加えて、この凹状エンボス７、７…が吸収体４に対して身体の曲線にフィットし易い変形性能を与えることにより、装着時の違和感が無くなるとともに、体液の伝い漏れが低減できるようになる。
前記凹状エンボス７，７…は、クレープ紙５で囲繞された状態で付与した例を示したが、凹状エンボス７，７…は、少なくとも吸収体４に付与されていればよく、具体的には吸収体４単独の状態、不織布に囲繞された状態、セカンドシートを重ねた状態又は前記透液性表面シート３を重ねた状態のいずれかの態様でも付与することができる。
【００３１】
〔第２形態例〕
次に、本発明の第２形態例について、図３に基づいて詳述する。第２形態例に係るナプキン１は、基本的な構造については前記第１形態例に係るナプキン１と同様であるが、後側部分Ｂが臀部の尾てい骨近傍以上の長さで形成されている場合の形態を示したものである。
【００３２】
この場合、前記後側部分Ｂは、臀部の窪みの凹曲線に対応させるよりも、形状にフィットさせるよりも、臀部の凸曲線に対応させた方が望ましい態様となる。そこで、前側部分Ｆについては上記第１実施例と同様とし、後側部分Ｂについては、平面視で略幅方向に沿い後側に膨出した複数条の幅方向仮想曲線ＷＢと、ナプキン１の長手方向中心線ＣＬを境にそれぞれの側に、略長手方向に沿い外側に膨出した複数条の長手方向仮想曲線ＬＢとを描き、少なくとも前記吸収体４に対して前記幅方向仮想曲線ＷＢと長手方向仮想曲線ＬＢとの交点に対応する位置に凹状エンボス７，７…を施すようにする。
これによって、前記後側部分Ｂは、長手方向中心線ＣＬ上で外側に膨出した臀部全体の凸曲線形状にフィットし易いしなやかさを有するようになり、装着時の違和感が無くなるとともに、体液の伝い漏れが低減できる。
【００３３】
〔第３形態例〕
次に、本発明の第３形態例について、図４に基づいて詳述する。第３形態例に係るナプキン１は、基本的な構造については前記第１形態例に係るナプキン１と同様であるが、排血口に対応する領域Ｎに中高部６が形成されていない点で相違する。すなわち、排血口に対応する領域Ｎには、平面視で略幅方向に沿い前側に膨出した複数条の幅方向仮想曲線ＷＮと、ナプキン１の長手方向中心線ＣＬを境にそれぞれの側に、略長手方向に沿い内側に膨出した複数条の長手方向仮想曲線ＬＮとを描き、それらの交点に対応する位置に凹状エンボス７、７…が施されるようになっている。なお、前側部分Ｆ及び後側部分Ｂは、前記第１形態例又は第２形態例のいずれかと同様に形成されている。
これによって、排血口に対応する領域Ｎは、女性局部の窪みにフィットし易いしなやかさを有するようになり、装着時の違和感が無くなるとともに、体液の伝い漏れが低減できる。
【００３４】
〔その他の形態例〕
(1)上記第１及び第２形態例のように、中高部６を形成する場合には、図５に示されるように、この中高部６の両側に、前記吸収体４の排血口に対応する領域より前側部分Ｆ及び後側部分Ｂに形成された凹状エンボス７，７…よりも小ピッチで凹状エンボス８，８…を施すようにするのが望ましい。前記凹状エンボス８により、脚からナプキン１の両側に圧力を受けた際、中高部６が排血口側に浮き上がり身体に密着させることができる。また、凹状エンボス７，７…よりも小ピッチで形成することにより、圧搾面積が増加して硬くなるため、コシを持たせることができる。
【図面の簡単な説明】
【００３５】
【図１】第１形態例に係る生理用ナプキン１の一部破断斜視図である。
【図２】第１形態例に係る生理用ナプキン１の吸収体平面図である。
【図３】第２形態例に係る生理用ナプキン１の吸収体平面図である。
【図４】第３形態例に係る生理用ナプキン１の吸収体平面図である。
【図５】その他の形態例に係る生理用ナプキン１の吸収体平面図である。
【符号の説明】
【００３６】
１…生理用ナプキン、２…不透液性裏面シート、３…透液性表面シート、４…吸収体、６…中高部、７…凹状エンボス、ＷＦ・ＷＢ・ＷＮ…幅方向仮想曲線、ＬＦ・ＬＢ・ＬＮ…長手方向仮想曲線、ＣＬ…長手方向中心線
【図１】
2008073449.tif 000003
【図２】
2008073449.tif 000004
【図３】
2008073449.tif 000005
【図４】
2008073449.tif 000006
【図５】
2008073449.tif 000007